(57)【要約】  【課題】  １つの通風経路に遠心ファンを配設して、回転方向を切換えずに換気性能を高めるとともに、壁に大きな穴を開けることなく、簡単な構造とした給気及び排気の機能を兼ね備えた換気装置を提供すること。  【解決手段】  一側面に給気口１ａと排気口１ｂとを備え、内部で同給気口１ａと同排気口１ｂ間とを結ぶ通風路に遠心ファン型の送風機１ｃを設けた通風ダクト本体１と、前記給気口１ａ又は前記排気口１ｂに接続される換気管３と、同換気管３の接続先を切換える切換手段5 とから構成され、例えば、前記切換手段５が、スライド切換であることとした。【選択図】  図４
2006098031.tif 000002
【特許請求の範囲】
【請求項１】
一側面に給気口と排気口とを備え、同給気口と同排気口間とを内部で結ぶ通風路に遠心ファンを設けた通風ダクト本体と、前記給気口又は前記排気口に接続される換気管と、同換気管の接続先を切換える切換手段とから構成したことを特徴とする換気装置。
【請求項２】
前記切換手段が、スライド切換であることを特徴とする請求項１記載の換気装置。
【請求項３】
前記切換手段が、回転切換であることを特徴とする請求項１記載の換気装置。
【請求項４】
一側面に給気口と排気口とを備え、同給気口と同排気口間とを内部で結ぶ通風路に遠心ファンを設けた通風ダクト本体と、同通風ダクト本体の一側面に回転可能に結合され、前記給気口に連通する第一連通部と、前記排気口に連通する第二連通部とを設けた回転ユニットと、同回転ユニットの前記第一連通部又は前記第二連通部の少なくともどちらか一方に接続する換気管とから構成され、前記回転ユニットの回転によって、前記給気口に連通する前記第一連通部を第二連通部に切換えるとともに、前記排気口に連通する前記第二連通部を前記第一連通部に切換え可能としたことを特徴とする換気装置。
【請求項５】
前記回転ユニットは、その中心に形成するシャフトと、同シャフトに連結するモータとからなる駆動手段を備え、前記シャフトから対称となる位置に前記第一連通部と第二連通部とを設けると共に、前記通風ダクト本体は、前記第一連通部と前記第二連通部の位置に対応して前記給気口と前記排気口とを設けたことを特徴とする請求項４記載の換気装置。
【請求項６】
前記回転ユニットを天板部を有する筒状体とし、同天板部に前記第一連通部と前記第二連通部とを形成したことを特徴とする請求項５記載の換気装置。
【発明の詳細な説明】
【技術分野】
【０００１】
本発明は、室内に外気を給気すると共に、前記室内の空気を室外に排気するための換気装置に係わり、より詳細には、１つの通風経路に遠心ファンを配設して、ファンの回転方向を切換えずに換気性能を高めるとともに、壁に大きな穴を開けることなく、簡単な構造により、前記通風経路の空気の流れの方向を切換え、給気または排気を行うようにした換気装置に関する。
【背景技術】
【０００２】
従来より、室内に外気を給気する給気機能と、前記室内の空気を室外に排気する排気機能とを兼ね備えた換気装置が実用化され、また、近年では、空気調和機の室内機に換気機能を備えたものも実現されている。
【０００３】
このような給気機能と排気機能とを備えた換気装置は、壁や窓に設置される換気扇が代表的なものとして実用化されている。
【０００４】
前記換気扇は、プロペラファンの回転方向を切換えることにより、通風路の空気の流れを逆にして、給気または排気を行うようになっているが、前記プロペラファンの正回転よりも逆回転の方が送風効率が低下し、給気と排気での送風量が異なるという問題点があった。
【０００５】
また、前記換気扇は、前記プロペラファンを使用したものであるため、送風ファンの中でも比較的送風量が小さくなってしまい、かつ、壁に大きな穴を開けなければならないという問題点があった。
【０００６】
また、空気調和機の室内機に給気機能を設けたものとして、遠心ファンの回転により、通風路に空気の流れを作って給気を行うようになっているので、前記換気扇と比べて、送風ファンの中でも送風量が大きく、かつ、壁に給気管を貫通するだけであるので、小さな穴をあけるのみでよいものである（例えば、特許文献１参照。）。
【０００７】
しかしながら、遠心ファンは一方向に大きな風量を得る構造であるため、遠心ファンを逆回転してもほとんど風量が得られず、遠心ファンを使用したもので給気機能と排気機能を兼ね備えた換気装置が望まれていた。
【０００８】
更に、給気機能と排気機能とを備えた換気装置として、給気ダクトと排気ダクトの２つの通風経路を備え、２つの通風経路を結合するように送風ファンが配設され、それぞれの通風経路内の空気の流れを逆にする切換装置を設けた換気装置が実現されている。
【０００９】
この換気装置は、前記給気ダクトから前記排気ダクトを結ぶ連結路と前記排気ダクトから前記給気ダクトを結ぶ連結路を備え、これら２つの連結路を２つの連動ダンパで連動して切換えることにより、前記送風ファンの回転方向はそのままで、前記給気ダクトと前記排気ダクトのそれぞれの空気の流れを逆にするものであり、壁に小さな穴をあけるのみでよいものである（例えば、特許文献２参照。）。
【００１０】
しかしながら、２つの連結路を交差させ、２つの連動ダンパを連動させる構成となり、連結路、連動ダンパ及びその駆動手段を必要とし、複雑な構造となってしまうという問題点があった。
【００１１】
以上のことから、給気または排気を行うために、給気と排気の送風量がともにバランスよく大きく、かつ、室内と室外とを連通する穴を小さくでき、簡単な構造で実現されることが望まれていた。
【００１２】
【特許文献１】特開２００４−１５６８８０号公報（第４頁〜第５頁、第５図〜第６図）
【特許文献２】特開平１１−３４４２５３号公報（第６頁、第６図〜第７図）
【発明の開示】
【発明が解決しようとする課題】
【００１３】
本発明は上記問題点に鑑み、１つの通風経路に遠心ファンを配設して、ファンの回転方向を切換えずに換気性能を高めるとともに、壁に大きな穴を開けることなく、簡単な構造とした給気及び排気の機能を兼ね備えた換気装置を提供することを目的とする。
【課題を解決するための手段】
【００１４】
本発明は上記課題を解決するため、一側面に給気口と排気口とを備え、同給気口と同排気口間とを内部で結ぶ通風路に遠心ファンを設けた通風ダクト本体と、前記給気口又は前記排気口に接続される換気管と、同換気管の接続先を切換える切換手段とから構成したことにより、１つの通風経路内の空気の流れを逆方向にできる構成となっている。
【００１５】
前記切換手段が、スライド切換であることを特徴とする構成となっている。
【００１６】
前記切換手段が、回転切換であることを特徴とする構成となっている。
【００１７】
一側面に給気口と排気口とを備え、同給気口と同排気口間とを内部で結ぶ通風路に遠心ファンを設けた通風ダクト本体と、同通風ダクト本体の一側面に回転可能に結合され、前記給気口に連通する第一連通部と、前記排気口に連通する第二連通部とを設けた回転ユニットと、同回転ユニットの前記第一連通部又は前記第二連通部の少なくともどちらか一方に接続する換気管とから構成され、前記回転ユニットの回転によって、前記給気口に連通する前記第一連通部を第二連通部に切換えるとともに、前記排気口に連通する前記第二連通部を前記第一連通部に切換え可能としたことを特徴とする構成となっている。
【００１８】
また、前記回転ユニットは、その中心に形成するシャフトと、同シャフトに連結するモータとからなる駆動手段を備え、前記シャフトから対称となる位置に前記第一連通部と第二連通部とを設けると共に、前記通風ダクト本体は、前記第一連通部と前記第二連通部の位置に対応して前記給気口と前記排気口とを設けたことを特徴とする構成となっている。
【００１９】
更に、前記回転ユニットを天板部を有する筒状体とし、同天板部に前記第一連通部と前記第二連通部とを形成したことを特徴とする構成となっている。
【発明の効果】
【００２０】
本発明によれば、１つの通風経路に遠心ファンを配設して、その回転方向を切換えずに換気性能を高めるとともに、壁に大きな穴を開けることなく、簡単な構造とした給気及び排気の機能を兼ね備えた換気装置を提供することができる。
【００２１】
また、本発明によれば、交差する連結路や連動ダンパによる切換手段によらず、スライドするのみ、または、回転をするのみで、空気の流れを逆方向にでき、簡単な構造で実現できる。
【００２２】
更に、本発明によれば、回転ユニットの筒状体内に駆動手段を収容でき、外観性を良くして小型化を実現できる。
【発明を実施するための最良の形態】
【００２３】
以下、本発明の実施の形態を、添付図面に基づいた実施例として詳細に説明する。図１は本発明による換気装置を説明する説明図で（Ａ）は給気機能に切換えた状態の概略断面図、（Ｂ）は排気機能に切換えた状態の概略断面図、図２は本発明による換気装置の回転ユニットを説明する説明図で（Ａ）は回転ユニットの第一実施例を示す概略断面図、（Ｂ）は回転ユニットの第二実施例を示す概略断面図、図３は本発明による換気装置の換気管を説明する説明図で（Ａ）は給気機能に切換えた場合の概略断面図、（Ｂ）は排気機能に切換えた場合の概略断面図である。
【００２４】
図４は本発明による換気装置の回転ユニットに代えて、スライドユニットを構成した場合を説明する説明図で（Ａ）は給気機能に切換えた状態の概略断面図、（Ｂ）は（Ａ）を下方から見た概略断面図、（Ｃ）はスライドユニットの横方向から見た概略断面図、図５は本発明による換気装置の回転ユニットに代えて、スライドユニットを構成した場合を説明する説明図で（Ａ）は排気機能に切換えた状態の概略断面図、（Ｂ）は（Ａ）を下方から見た概略断面図である。
【００２５】
図６は本発明による換気装置の回転ユニットに代えて、別の回転ユニットを構成した場合を説明する説明図で（Ａ）は給気機能に切換えた状態の概略断面図、（Ｂ）は（Ａ）を下方から見た概略断面図、図７は本発明による換気装置の回転ユニットに代えて、別の回転ユニットを構成した場合を説明する説明図で（Ａ）は排気機能に切換えた状態の概略断面図、（Ｂ）は（Ａ）を下方から見た概略断面図である。
【実施例１】
【００２６】
本発明による換気装置は、一側面に給気口と排気口とを備え、内部で同給気口と同排気口間を結ぶ通風路に遠心ファン型の送風機を設けた通風ダクト本体と、同通風ダクト本体の一側面に回転可能に結合され、前記給気口に連通する第一連通部と、前記排気口に連通する第二連通部とを設けた回転ユニットとから構成されている。
【００２７】
まず、図１（Ａ）及び図１（Ｂ）で示すように、前記通風ダクト本体１は、箱状の一側面に給気口１ａと排気口１ｂを備え、同給気口１ａと同排気口１ｂ間を結ぶ通風路、即ち、矢印の空気の流れをつくる通風路を形成するように内部が仕切壁等により仕切られ、前記排気口１ｂ側の通風路に、遠心ファン型の送風機１ｃを配設している。そして、同送風機１ｃにはモータが備わっている。
【００２８】
前記通風ダクト本体１では、前記給気口１ａから空気を給気し、前記送風機１ｃの一側面の吸込口１ｅから吸込んで他側面の吹出口１ｆから吹出し、前記排気口１ｂより空気を排気するようになっている。このため、前記送風機１ｃは一定の回転方向で運転される。
【００２９】
また、前記通風ダクト本体１の筺体構造は、前記送風機１ｃのファンケーシングと連続的に形成された構造としてもよく、例えば、前記給気口１ａから前記送風機１ｃの一側面の前記吸込口１ｅまでの通風路と、前記送風機１ｃの他側面の前記吹出口１ｆと前記排気口１ｂまでの通風路を連接したものとし、前記通風ダクト本体１の筺体を、既存の前記送風機１ｃのファンケーシングを利用した簡単な構造にすることができる。
【００３０】
前記回転ユニット２は、前記通風ダクト本体１の一側面に回転可能に結合するように、中心に回転軸２ｃが設けられ、前記給気口１ａに連通する第一連通部２ａａと、前記排気口１ｂに連通する第二連通部２ａｂを備えている。
【００３１】
前記換気管３は、例えば柔軟性又は伸縮性のあるフレキシブルホース３からなり、前記第一連通部２ａａと前記第二連通部２ａｂにそれぞれ接続されている。更に、どちらか一方の前記換気管３は、部屋の壁４に設けた貫通孔４ａを通じて、室外に導かれている。
【００３２】
そして、図１（Ａ）に示すように、前記回転ユニット２の前記第一連通部２ａａに対応する前記通風ダクト本体１の前記給気口１ａと、前記回転ユニット２の前記第二連通部２ａｂに対応する前記通風ダクト本体１の前記排気口１ｂとの連通状態から、図１（Ｂ）に示すように、前記回転ユニット２の前記回転軸２ｃを中心に１８０度回転させることで、前記第二連通部２ａｂが前記給気口１ａに連通され、前記第一連通部２ａａが前記排気口１ｂに連通されて、連通状態が切換って、前記前記第一連通部２ａａと前記第二連通部２ａｂを介して、前記給気口１ａと前記排気口１ｂに連通される前記換気管３の接続状態が入れ替わることとなる。
【００３３】
この結果、前記通風ダクト本体１の前記送風機１ｃの回転方向を切換えずに換気性能を高めるとともに、前記回転ユニット２を回転させるだけで、前記換気管３、前記回転ユニット２、前記通風ダクト本体１による１つの通風経路を流れる空気の流れの方向を逆方向とすることができる。
【００３４】
次に、図２（Ａ）及び図２（Ｂ）を用いて、前記回転ユニット２の具体例について説明する。
【００３５】
図２（Ａ）の第一実施例に示すように、前記回転ユニット２を円筒形の天板部２ｄを有する筒状体とし、同天板部２ｄを周方向に回転する駆動手段２ｂを設け、前記駆動手段２ｂは、前記回転ユニット２の前記天板部２ｄの周囲にギア２ｂａが形成され、同ギア２ｂａと噛合するピニオン２ｂｃを備えるモータ２ｂｂを、前記天板部２ｄの側面に配設した構成となっている。
【００３６】
そして、前記天板部２ｄの中心に前記回転軸２ｃが形成され、同回転軸２ｃから対称となる位置に、前記第一連通部２ａａと前記第二連通部２ａｂを設けており、同第一連通部２ａａと前記第二連通部２ａｂの位置に対応して、前記通風ダクト本体１の前記給気口１ａと前記排気口１ｂとを設けている。
【００３７】
また、図２（Ｂ）の第二実施例に示すように、前記回転ユニット２を、第一実施例と同様に、前記天板部２ｄを有する筒状体とし、前記駆動手段２ｂに替えて、前記回転ユニット２の前記天板部２ｄの中心に、前記筒状体内に形成されるシャフト２ｂｄと、前記シャフト２ｂｄに連結する前記モータ２ｂｂを備えた構成となっている。
【００３８】
そして、前記天板部２ｄの中心に、前記シャフト２ｂｄとは反対側に突出する前記回転軸２ｃが形成され、第一実施例と同様に、前記シャフト２ｂｄから対称となる位置に、前記第一連通部２ａａと前記第二連通部２ａｂを設けており、同第一連通部２ａａと同第二連通部２ａｂの位置に対応して、前記通風ダクト本体１の前記給気口１ａと前記排気口１ｂとを設けている。
【００３９】
第一実施例の前記モータ２ｂｂの回転駆動により、前記ピニオン２ｂｃを介して前記ギア２ｂａに伝達されて、前記回転ユニット２が前記回転軸２ｃを中心に回転し、また、第二実施例の前記モータ２ｂｂの回転駆動により、前記シャフト２ｂｄに伝達されて、前記回転ユニット２が前記回転軸２ｃを中心に回転するようになっており、前記換気管３の接続の入れ替えが行われる。そして、前記モータ２ｂｂの回転駆動は正逆回転できるものとなっている。
【００４０】
図２（Ａ）の第一実施例、図２（Ｂ）の第二実施例に示す前記回転ユニット２によれば、前記特許文献２に示すように、交差する連結路や連動ダンパによる切換手段によらず、前記駆動手段２ｂを備えた前記回転ユニット２を、同駆動手段２ｂにより１８０度回転するのみで、空気の流れを逆方向にすることができ、部品点数を少なくした簡単な構造を実現できる。
【００４１】
また、前記回転ユニット２に直接、前記換気管３を接続するようにしているので、前記換気管３の柔軟性の性質を利用して、前記回転ユニット２の前記駆動手段２ｂにより１８０度回転するのみで、空気の流れを逆方向にすることができ、かつ、換気装置を設置する場合に、前記換気管３の配管に、自由度を持たせることができ、部品点数を少なくした簡単な構造を実現できる。
【００４２】
図２（Ｂ）の第二実施例に示す前記回転ユニット２によれば、前記回転ユニット２の筒状体内に前記駆動手段２ｂを収容でき、外観性を良くして小型化を実現できる。
【００４３】
前記モータ２ｂｂの回転駆動による前記換気管３の接続の入れ替えは、図３（Ａ）に示すように、給気機能から排気機能へ切換える場合、前記回転ユニット２を前記モータ２ｂｂの正回転の駆動により１８０度回転させることで行われ、図３（Ｂ）に示すように、前記換気管３が交差するような捩れた状態となる。そして、図３（Ｂ）に示すように、排気機能から給気機能に戻す場合、前記モータ２ｂｂの逆回転の駆動により１８０度回転させることで行われる。
【００４４】
これまで説明してきたように、本発明によれば、前記換気管３、前記回転ユニット２、前記通風ダクト本体１による１つの通風経路を流れる空気の流れの方向を逆方向にすることができ、また、１つの通風経路に遠心ファン型の前記送風機１ｃを配設して、その回転方向を切換えずに、換気性能を高めるとともに、壁に大きな穴を開けることなく、簡単な構造の給気または排気の機能を兼ね備えた換気装置を実現できる。
【００４５】
以上説明してきた実施例１では、前記回転ユニット２に前記駆動手段２ｂを設けてなるようにしたが、本発明はこれに限るものではなく、前記回転ユニット２が手動で回転できるものでもよい。
【００４６】
また、以上説明してきた実施例１では、前記回転ユニット２を円筒形の天板部２ｄを有する筒状体としたが、本発明はこれに限るものではなく、円筒形以外の筒状体で前記換気管３を収容できればよい。また、前記回転ユニット２の外観性を考慮しなければ、前記回転ユニット２を天板部２ｄのみで構成し、筒状体でなくてもよい。
【００４７】
また、以上説明してきた実施例１では、前記第一連通部２ａａと前記第二連通部２ａｂのそれぞれに前記換気管３を接続したが、本発明はこれに限るものではなく、前記第一連通部２ａａと前記第二連通部２ａｂのどちらか一方に接続した場合も適用できる。
【実施例２】
【００４８】
次に、これまで説明してきた本発明による換気装置の回転ユニットに代えて、スライドユニットと、前記実施例１の回転ユニットとは異なる構造の回転ユニットを構成した場合について説明する。
【００４９】
本発明による換気装置は、一側面に給気口と排気口とを備え、内部で同給気口と同排気口間とを結ぶ通風路に遠心ファン型の送風機を設けた通風ダクト本体と、前記給気口又は前記排気口に接続される換気管と、同換気管の接続先を切換える切換手段とから構成されている。
【００５０】
前記切換手段によって、１つの通風経路内の空気の流れを逆方向にすることができる構成となっている。
【００５１】
前記通風ダクト本体は、前記実施例１で説明してきた通風ダクト本体と略同等な構成であるため、ここでは異なる構成要素を中心に説明することとし、前記換気管も、前記実施例１で説明してきた換気管と同様であるため、説明を省略する。
【００５２】
まず、図４及び図５に示すように、前記切換手段５がスライド切換であることを特徴とし、前記通風ダクト本体１の一側面にスライド可能に設けたスライドユニット５ａを構成して、スライドさせる場合について説明する。
【００５３】
図４（Ａ）乃至図４（Ｃ）に示すように、前記通風ダクト本体１には、箱状の一側面に給気口１ａと排気口１ｂを備え、同給気口１ａと同排気口１ｂの位置は、前記通風ダクト本体１の一側面に横方向に並んで設けられ、前記通風ダクト本体１の一側面の横方向の両端部に、前記スライドユニット５ａをスライド可能にスライド案内片１ｄが設けられている。
【００５４】
前記スライドユニット５ａは、前記給気口１ａ又は前記排気口１ｂのどちらか一方に連通する連通部５ａａと、前記給気口１ａと前記排気口１ｂとの間でスライドするように、前記スライド案内片１ｄに係合する案内枠５ａｂを設けている。
【００５５】
図４（Ａ）及び図４（Ｂ）では、前記通風ダクト本体１の一側面上を、前記スライドユニット５を左矢印の方向にスライドすることにより、前記給気口１ａに前記連通部５ａａを連通させ、前記換気管３を介して、室外の空気を室内に導入する給気機能として換気装置を利用することができる。
【００５６】
また、図５（Ａ）及び図５（Ｂ）に示すように、前述前記通風ダクト本体１の一側面上を、前記スライドユニット５を右矢印の方向にスライドすることにより、前記排気口１ｂに前記連通部５ａａを連通させ、前記換気管３を介して、室内の空気を室外に導出する排気機能として換気装置を利用することができる。
【００５７】
これまで説明してきた実施例２によれば、前述の実施例１と同様に、１つの通風経路に遠心ファン型の前記送風機１ｃを配設して、その回転方向を切換えずに、換気性能を高めるとともに、壁に大きな穴を開けることなく、簡単な構造の給気または排気の機能を兼ね備えた換気装置を実現できる。
【００５８】
また、実施例２によれば、前記スライドユニット５ａには、１つの前記連通部５ａａを設けた構成となっているので、前述の実施例１のように、前記第一連通部２ａａと前記第二連通部２ａｂを設けた前記回転ユニット２の構成と比べて、前記スライドユニット５ａの小型化と材料削減を実現できる。
【実施例３】
【００５９】
次に、前記実施例２において、前記切換手段５がスライド切換であることを特徴とし、前記スライドユニット５ａをスライドさせる構成を説明したが、図６及び図７に示すように、前記切換手段５が回転切換であることを特徴とし、前記通風ダクト本体１の一側面に回転可能に設けた回転ユニット５ｂを構成して、回転させる場合について説明する。なお、前記回転ユニット５ｂは、前記実施例１において説明した回転ユニットとは異なる構成となっている。
【００６０】
図６（Ａ）及び図６（Ｂ）に示すように、前記通風ダクト本体１には、箱状の一側面に給気口１ａと排気口１ｂを備え、同給気口１ａと同排気口１ｂの位置は、前記通風ダクト本体１の一側面に横方向に並んで設けられている。
【００６１】
前記回転ユニット５ｂは、前記通風ダクト本体１の一側面に回転可能に結合するように、端部に回転軸５ｂｂが設けられ、前記給気口１ａ又は前記排気口１ｂのどちらか一方に連通する連通部５ｂａを備えている。そして、前記通風ダクト本体１の一側面の前記給気口１ａと前記排気口１ｂの間を結ぶ中間位置に対応して、前記回転軸５ｂｂが前記通風ダクト本体１に結合されている。
【００６２】
図６（Ａ）及び図６（Ｂ）では、前記通風ダクト本体１の一側面上を、前記回転ユニット５ｂを矢印の方向に前記回転軸５ｂｂを中心に回転することにより、前記給気口１ａに前記連通部５ｂａを連通させ、前記換気管３を介して、室外の空気を室内に導入する給気機能として換気装置を利用することができる。
【００６３】
また、図７（Ａ）及び図７（Ｂ）に示すように、前記通風ダクト本体１の一側面上を、前記回転ユニット５ｂを矢印の方向に前記回転軸５ｂｂを中心に回転することにより、前記排気口１ｂに前記連通部５ｂａを連通させ、前記換気管３を介して、室内の空気を室外に導出する排気機能として換気装置を利用することができる。
【００６４】
これまで説明してきた実施例３によれば、前述の実施例１と同様に、１つの通風経路に遠心ファン型の前記送風機１ｃを配設して、その回転方向を切換えずに、換気性能を高めるとともに、壁に大きな穴を開けることなく、簡単な構造の給気または排気の機能を兼ね備えた換気装置を実現できる。
【００６５】
また、実施例３によれば、前記回転ユニット５ｂには、１つの前記連通部５ｂａを設けた構成となっているので、前述の実施例１のように、前記第一連通部２ａａと前記第二連通部２ａｂを設けた前記回転ユニット２の構成と比べて、前記回転ユニット５ｂの小型化と材料削減を実現できる。
【００６６】
以上説明してきた実施例２及び実施例３では、前記切換手段５がスライド切換または回転切換であることとしたが、本発明はこれに限るものではなく、前記換気管３の接続先を切換えられれば、スライド切換または回転切換以外の方法でもよい。
【実施例４】
【００６７】
これまで説明してきた実施例１乃至実施例４による換気装置を、空気調和機の室内機本体の背面や側面に連接又は同室内機本体に内蔵するようにしてもよい。
【００６８】
例えば、前記室内機本体と室外とを結ぶ箇所に換気装置を配置し、前記換気管３を介して前記室内機本体の内部に外気を導入し、この外気と前記室内機本体内部に吸込んだ室内空気と混合され室内に吹出すことによって、室内空気の換気を行い、逆に前記室内機本体内部に吸込んだ室内空気を前記換気管３を介して室外に排気することによって、室内空気の換気を行うようにした換気機能付き空気調和機を構成することができる。
【００６９】
このように、換気機能付き空気調和機を構成する場合、換気装置の前記通風ダクト本体１における遠心ファン型の前記送風機１ｃの回転軸を、前記室内機本体内の送風機、例えば、クロスフローファンの回転軸と連結するような構成とすることにより、前記通風ダクト本体１における前記送風機１ｃに備えたモータを不要にすることができ、より簡単な構造を実現できる。
【００７０】
以上説明してきた実施例１乃至実施例４では、本発明による換気装置を室内に設置したが、本発明はこれに限るものではなく、室外に設置した場合も適用できるものである。更に、本発明による換気装置では、壁に大きな穴を設ける必要がないので、台所、浴室、寝室、リビング等の様々な室内の場所に設置して適用できるものである。
【図面の簡単な説明】
【００７１】
【図１】本発明による換気装置を説明する説明図で（Ａ）は給気機能に切換えた状態の概略断面図、（Ｂ）は排気機能に切換えた状態の概略断面図である。
【図２】本発明による換気装置の回転ユニットを説明する説明図で（Ａ）は回転ユニットの第一実施例を示す概略断面図、（Ｂ）は回転ユニットの第二実施例を示す概略断面図である。
【図３】本発明による換気装置の換気管を説明する説明図で（Ａ）は給気機能に切換えた場合の概略断面図、（Ｂ）は排気機能に切換えた場合の概略断面図である。
【図４】本発明による換気装置の回転ユニットに代えて、スライドユニットを構成した場合を説明する説明図で（Ａ）は給気機能に切換えた状態の概略断面図、（Ｂ）は（Ａ）を下方から見た概略断面図、（Ｃ）はスライドユニットの横方向から見た概略断面図である。
【図５】本発明による換気装置の回転ユニットに代えて、スライドユニットを構成した場合を説明する説明図で（Ａ）は排気機能に切換えた状態の概略断面図、（Ｂ）は（Ａ）を下方から見た概略断面図である。
【図６】本発明による換気装置の回転ユニットに代えて、別の回転ユニットを構成した場合を説明する説明図で（Ａ）は給気機能に切換えた状態の概略断面図、（Ｂ）は（Ａ）を下方から見た概略断面図である。
【図７】本発明による換気装置の回転ユニットに代えて、別の回転ユニットを構成した場合を説明する説明図で（Ａ）は排気機能に切換えた状態の概略断面図、（Ｂ）は（Ａ）を下方から見た概略断面図である。
【符号の説明】
【００７２】
１  通風ダクト本体
１ａ  給気口
１ｂ  排気口
１ｃ  送風機
１ｄ  スライド案内片
１ｅ  吸込口
１ｆ  吹出口
２  回転ユニット
２ａａ  第一連通部
２ａｂ  第二連通部
２ｂ  駆動手段
２ｂａ  ギア
２ｂｂ  モータ
２ｂｃ  ピニオン
２ｂｄ  シャフト
２ｃ  回転軸
２ｄ  天板部
３  換気管
４  壁
４ａ  貫通孔
５  切換手段
５ａ  スライドユニット
５ａａ  連通部
５ａｂ  スライド案内枠
５ｂ  回転ユニット
５ｂａ  連通部
５ｂｂ  回転軸
【図１】
2006098031.tif 000003
【図２】
2006098031.tif 000004
【図３】
2006098031.tif 000005
【図４】
2006098031.tif 000006
【図５】
2006098031.tif 000007
【図６】
2006098031.tif 000008
【図７】
2006098031.tif 000009